(57)【要約】【課題】  ベッドや車椅子、座椅子等の移転元で身体不自由者を容易にのせることができ、また、吊り上げているときに無理な姿勢を強いることなく安楽な姿勢を保持でき、さらに、移転先でモッコを外す操作も容易となる身体不自由者の吊りモッコを提供する。【解決手段】  座面シートの中央部に座中穴を設けるとともに、それを開拡可能に前端に開き口を設ける一方、開拡不能に開き口に閉止装置を具備し、さらに、座面シートの左右両側に、空中に下がる吊下げ支持具に掛け止めるループ状の吊り紐を前後両端部で止めて取り付け、座面シートの後端に背もたれシートを一体または着脱可能に連設し、背もたれシートの両側に吊下げ支持具に止める副吊り紐を取り付けた。【選択図】    図１
2005304893.tif 000002
【特許請求の範囲】
【請求項１】
座面シートの中央部に座中穴を設けるとともに、それを開拡可能に前端に開き口を設ける一方、開拡不能に開き口に閉止装置を具備し、さらに、座面シートの左右両側に、空中に下がる吊下げ支持具に掛け止めるループ状の吊り紐を前後両端部で止めて取り付け、座面シートの後端に背もたれシートを一体または着脱可能に連設し、背もたれシートの両側に吊下げ支持具に止める副吊り紐を取り付けたことを特徴とする身体不自由者の吊りモッコ。
【請求項２】
座面シートの中央部に座中穴を設けるとともに、それを開拡可能に前端に開き口を設ける一方、開拡不能に開き口に閉止装置を具備し、さらに、座面シートの左右両側に、空中に下がる吊下げ支持具に掛け止めるループ状の吊り紐を前後両端部で止めて取り付け、両吊り紐の後端部間に背もたれを形成したことを特徴とする身体不自由者の吊りモッコ。
【発明の詳細な説明】
【技術分野】
【０００１】
この発明は、寝たきりの老人や病人、それに近い身体障害者等（この明細書では身体不自由者と総称することにする）を運ぶに当たり、例えば、ベッドと車椅子との間、車椅子と乗用車の座席との間というように、空間の移転に機械的に吊り使用する身体不自由者の吊りモッコに関する。
【背景技術】
【０００２】
身体不自由者をベッドから車椅子に乗せるには、一般的に、看護人が抱えて移動させていたが、脱力している身体を持ち上げるために非常に重労働であることはもちろん、殊に、体重の多い寝たきりの場合であると移動が困難であったり無理であったりするので、機械的に移動させる手段の一つとして吊りモッコが提案される。
【０００３】
従来の身体不自由者の吊りモッコは、全身を乗せる長さ、又は尻部から頭までを乗せる長さの厚手の布地からなり、左右両側にはループ状の吊り紐が前後両端に（尻部当たりと肩部当たりとに）止めて取り付けられたものであった。そこで、例えば、ベッドから車椅子に身体不自由者を移すために使用するときには、まず、装着作業においては、身体不自由者を仰向けから横向きに転がして下にモッコを差し入れながら背中に当たるようベッドの上に敷いておいて、横向きから再び仰向けに戻すことによりモッコの上に寝かせる。これで身体不自由者がモッコの上に乗った装着状態となるが、力を喪失している身体が非常に重く転がすのに多大の力を要しこれも重労働であった。
【０００４】
次に、モッコの上に寝かせた装着状態から、吊り上げ作業に移るために、上に垂れるフック状の吊下げ支持具に吊り紐を掛け、吊り上げて車椅子に移動させるが、この際に、左右両側においてループ状の吊り紐が前後両端だけで持ち上げることになるため、その間で身体が重力でエビ形に曲がって息苦しくなるばかりでなく内蔵が圧迫されるので健康上好ましくなく、また、足が高く上がった状態で吊り上げられるので、車椅子に下ろしても安定して座らせるまでの作業に困難を伴うという問題があった。
【０００５】
しかも、車椅子に座らせてもモッコが尻に敷かれているため、モッコを取り外す作業も容易ではなかった。また、以上とは逆に、車椅子からベッドに移すとこも同様で苦労が伴うことになるが、特に、車椅子ではひじ掛けが妨げになるばかりか身体不自由者を転がすことができないので、モッコを下に入れる装着状態になす作業にさらに困難が伴うという問題があった。
【発明の開示】
【発明が解決しようとする課題】
【０００６】
この発明は、上記のような実情に鑑みて、ベッドや車椅子、座椅子等の移転元で身体不自由者を容易にのせることができ、また、吊り上げているときに無理な姿勢を強いることなく安楽な姿勢を保持でき、さらに、移転先でモッコを外す操作も容易となる身体不自由者の吊りモッコを提供することを課題とした。
【課題を解決するための手段】
【０００７】
上記の課題を解決するために、第１発明は、座面シートの中央部に座中穴を設けるとともに、それを開拡可能に前端に開き口を設ける一方、開拡不能に開き口に閉止装置を具備し、さらに、座面シートの左右両側に、空中に下がる吊下げ支持具に掛け止めるループ状の吊り紐を前後両端部で止めて取り付け、座面シートの後端に背もたれシートを一体または着脱可能に連設し、背もたれシートの両側に吊下げ支持具に止める副吊り紐を取り付けたことを特徴とする身体不自由者の吊りモッコを提供するものである。
【０００８】
上記の構成によれば、ベッドに寝たきりの身体不自由者に装着するには、リクライニングにより上半身を起こしてから、上半身を起こしたベッドとの間に空間を設けて、その間から座面シートを尻の下に差し込み、座中穴を開き口で開拡しながら押し込めば、尻を持ち上げることなく尻の下に敷くことができ、それから開き口を閉止装置で止めておけば、尻が抜けないように持ち上げることが可能な着座状態となる。
【０００９】
次に、吊下げ支持具に座面シートの両側の吊り紐と、後続する背もたれシートの両側の副吊り紐とを吊下げ支持具に掛けてから機械的装置により持ち上げると、両側でそれぞれ前後両端とその中間との３点支持となるので、吊り紐の長さにより身体不自由者を座った状態に吊り上げることができる。なお、吊り紐５，５と副吊り紐７，７との長さによっては仰向けに近い状態にもなし得る。
【００１０】
いずれにしても、車椅子にはそれに座りやすいような姿勢で臨むことができ、したがって、着座しやすいことはもちろん、開き口の閉止装置を解除して、座面シートを後ろへ引き抜いて容易に取り外すこともできる。また、車椅子でモッコを装着し、ベッドにおいて取り外す場合もほゞ同様に容易に作業をなし得るし、車椅子と自動車の座席との間においても同様のことが言える。
【００１１】
また、第２発明は、座面シートの中央部に座中穴を設けるとともに、それを開拡可能に前端に開き口を設ける一方、開拡不能に開き口に閉止装置を具備し、さらに、座面シートの左右両側に、空中に下がる吊下げ支持具に掛け止めるループ状の吊り紐を前後両端部で止めて取り付け、両吊り紐の後端部間に背もたれを形成したことを特徴とする身体不自由者の吊りモッコを提供するものである。
【００１２】
身体不自由者の吊りモッコをこのように構成すると、座面シートを第１発明の場合と同様に使用でき、吊り上げたときに、背もたれにより背中が受けられるため、椅子に座ったと同様の安定した姿勢で吊り上げられる。
【発明の効果】
【００１３】
以上説明したように、この発明の身体不自由者の吊りモッコによれば、ベッドや車椅子、座椅子等の移転元で身体不自由者を容易にのせることができ、また、吊り上げているときに無理な姿勢を強いることなく安楽な姿勢を保持できるので、身体不自由者に親切となり、さらに、移転先でモッコを外す操作も容易となるため、作業性が良好で看護者の負担が少なくて済むという優れた効果がある。
【発明を実施するための最良の形態】
【００１４】
図１ないし図３は、第１発明の一実施の形態を示したもので、その身体不自由者の吊りモッコＭは、座面シート１と、背もたれシート２と、吊下げ支持具３とからなり、座面シート１には左右１対のループ状吊り紐５，５が、背もたれシート２には左右１対の副吊り紐７，７が取り付けられ、吊り紐５，５と副吊り紐７，７とが吊下げ支持具３で吊り上げられるようになっている。なお、吊下げ支持具３の吊り移動については、その機械的な吊り移動装置Ｔを用いる場合を例示した。
【００１５】
シート１，２の素材には、厚手の布生地、プラスチックシート、座布団のように綿入れ布団、プラスチックの発砲材入れ布団、プラスチックの発砲板材等のように柔軟性があるか、もしくは弾性変形しやすいクッション性の材質のものが使用されるのに適している。また、吊り紐５，５および副吊り紐７，７の素材には、ベルトやロープ、鎖等が使用され、図示の場合はベルトとした。
【００１６】
座面シート１は、椅子の上に敷くマットのようなものであるが、中央部に座中穴８が前端の開き口９で開拡するように設けられ、便座のような形となっている。その開き口９の一方に雌締結具１１が、他方に雄締結具１２が相互にフック連結し得るように取り付けられ、これにより閉止装置が構成されている。また、吊り紐５，５は、吊下げ支持具３に通して掛け得るようにループ状であって、これが座面シート１の左右両側において前後両端に止めて取り付けられる。また、座面シート１の後端には、背もたれシート２と連結する左右１対の雌接続具１３，１３がベルトを介してその先に取り付けられる。なお、この雌接続具１３および雄接続具１４には自動車のシートベルトの雌雄連結具と同様のものを使用できる。
【００１７】
背もたれシート２は、下端にこの雌接続具１３，１３に対応して雄接続具１４，１４が取り付けられる。また、副吊り紐７，７は、背もたれシート２の左右両側において上下両端間で身体不自由者の背部を安定して受けやすい位置に取り付けられる。副吊り紐７，７は、このように背もたれシート２に取り付けられているが、先端には吊下げ支持具３に接続する連結金具１５，１５が取り付けられる。この連結金具１５には雄ねじボルト１６が通されるようその孔が設けられる。
【００１８】
吊下げ支持具３は、円筒形部材の中央部に吊り移動装置Ｔのフック１７が掛かるループ状の吊り部１９が突設されたもので、両端には副吊り紐７，７の連結金具１５，１５を止める雌ねじ１８，１８が嵌着さ、雌ねじ１８に雄ねじボルト１５を螺入して連結金具１５が端面に固定されるようになっている。また、吊下げ支持具３の両端部上面には、吊り紐５，５の外れを防止する突起２１，２１が設けられる。
【００１９】
上記の吊りモッコＭの使用について、まず、ベッドにおいて身体不自由者に着用する場合は、リクライニングベッドの後部の起動で身体不自由者を起こして、座面シート１を尻の下に入れるが、このときに、座中穴８で尻を囲むように差し入れてから、前端の開き口９を閉止装置としての雌締結具１１と雄締結具１２とを連結して締める。次に、吊下げ支持具３に吊り紐５，５を通すと、身体不自由者を吊り紐５，５で吊り上げ得る状態となる。これが吊り上げる基本形態であり、これを基本に幾つかの使用例がある。
【００２０】
まず、身体不自由者が比較的身体の自由がきくために吊り紐５，５に手を掛けて身体を転倒しないよう支えることのできる場合であって、（安全のため看護者も手助けするが）座面シート１のみの使用で吊り上げることによって、車椅子まで着座姿勢で移動させることができる。
【００２１】
次に、身体不自由者に力が不足している脱力状態のため自分で身体を転倒しないよう支えられない場合には、背もたれシート２を使用する。このときは、頭から背中にそれを差し入れ、下端の雄接続具１４，１４を座面シート１の雌接続具１３，１３に差し入れて連結し、座面シート１と背もたれシート２とを一体のモッコとする。そうして、背もたれシート２の副吊り紐７，７を吊下げ支持具３に連結する。
【００２２】
こうすると、座面シート１と背もたれシート２が長く連続しているが、左右両側においてそれぞれ３本の紐により吊り上げる状態となるため、所謂３点支持により身体不自由者の身体が極端にエビ形に曲がるという不都合がなくなり、図２に示すように、椅子に座ったのに近い姿勢となる。また、副吊り紐７，７を長くすることにより、身体不自由者を仰向けに寝た状態で吊り上げることも可能である。この調整をするために、副吊り紐７，７を長さ調整できるようにすることもある（図５）。これについては後に記す。
【００２３】
いずれにしても、図２に示すような着座の姿勢であると、そのまま車椅子や自動車の座席におろすことができ、ベッドではリクライニングを上げた状態でそこに具合良く下ろすことができる。下ろしてから雌締結具１１と雄締結具１２との結合を外して開き口９を開放してから、座面シート１を尻から後ろへ容易に引き抜くことができる。
【００２４】
身体不自由者の吊りモッコＭの機械的な吊り移動については、ベッドから傍の車椅子というような間近の場合は、フック１７の揺動範囲で移動距離が取れることもあるので、建設作業において使用される単なるチェーンブロックやレバーホイスト等を天井に吊るす等して設置して、簡便に使用することもできる。また、ベッドから浴室のように距離がある場合は、天井に沿ってレールを配設し、レールに走らせる装置にフック１７を吊り下げたものが考えられるというように様々となる。
【００２５】
図２の場合は比較的近距離の場合を参考までに想定して図示したもので、基幹支柱２０に回転支柱２２を嵌めてあって、フック１７がこれで水平円運動が可能である。２４がその回転駆動装置である。また、回転支柱２２には昇降器２６が装着されているので、これでフック１７は上下移動が可能である。また、昇降器２６には横レール２８が突設され、それに走行車３０が装備されているので、これでフック１７は一定の円の範囲で３次元に自由な位置を取ることができる。さらに、昇降器２６と走行車３０にはそれぞれ滑車３２，３４が取り付けられ、それにフック１７の吊りワイヤー３６が掛けられ、昇降器２６にワイヤー３６の巻き取り装置３８が設けられているので、ワイヤー３６の長さによってもフック１７が上下できる。
【００２６】
図４は、座面シート１の他の実施の形態を示したもので、この場合は、座中穴８がプラスチック成形品であって、座中穴８と開き口９とを同じ幅にしたのでＵ字形であって、Ｕ字形の両端に閉止部材４１の差込み孔４３，４３を設け、こうして閉止装置が構成される。このような簡単な構造であると、例えば、身体不自由者を浴槽に浸からせるために吊り上げるのに都合良く使用できる。
【００２７】
吊り紐５や副吊り紐７は長さ調整が可能であることが望ましい。これについては、様々な手段を取ることができるが、腰を締めるバンドやハンドバック等のバンドの長さ調整に使用される調整金具を好適に使用できる。図５は、紐７（５）としてのバンドに等間隔に調整孔４５，４５，・・を配設し、バンドに摺動可能に嵌まるスライダー４７にその調整孔４５に掛け止めるフック４９を設けたもので、スライダー４７が背もたれシート２（又は座面シート１）に取り付けられる。また、バンドの先端には吊下げ支持具３に掛けるフック５１が取り付けられる。
【００２８】
図６は、第２発明の一実施の形態を示したもので、この場合は、座面シート１を単独に使用し、前記した背もたれシート２を使用しない場合である。その代わりに、左右吊り紐５，５の間には後端部において上下にベルト５３ａ，５３ａを配設して背もたれ５３が構成される。背もたれ５３を一枚物（シート）としても良い。
【００２９】
図７は、第１発明の他の実施形態を示したもので、座面シート１と背もたれシート２とを一体に形成したものであるが、このようにしても、左右両側ではループ状の吊り紐５と副吊り紐７とで３点支持となり、図２に示すような安定した着座姿勢を容易に取ることができる。
【００３０】
吊下げ支持具３の構造については、必ずしも横棒状であることを要しなく、例えば二股の両側にフックを有する形状であっても良い。図８は、横棒形ではあるが、ベルトの長さを調整できるようにしたものである。その構造については、本体ケース５５にウオーム歯車が内装され、そのうちのウオーム５７の両端に副吊り紐７，７の巻取り軸５９，５９が突設される。また、ウオームホイール５８にはハンドルの差込み孔５１が設けられている。
【図面の簡単な説明】
【００３１】
【図１】第１発明の一実施の形態を示す身体不自由者の吊りモッコの分解斜視図である。
【図２】同身体不自由者の吊りモッコの使用状態を示す斜視図である。
【図３】同身体不自由者の吊りモッコにおける座面シートの平面図である。
【図４】他の実施形態における座面シートの平面図である。
【図５】この発明に使用する副吊り紐（又は吊り紐）において長さ調整装置を示す平面図である。
【図６】第２発明の一実施の形態を示す身体不自由者の吊りモッコの斜視図である。
【図７】第１発明の他の実施形態を示すモッコ形態の平面図である。
【図８】この発明に使用する吊下げ支持具の他の実施形態を示す断面図である。
【符号の説明】
【００３２】
１  座面シート
２  背もたれシート
３  吊下げ支持具
５  吊り紐
７  副吊り紐
８  座中穴
９  開き口
１１，１２  閉止装置を構成する雌雄締結具
４１，４３  閉止装置を構成する閉止部材及びその差込み孔
５３  背もたれ
【図１】
2005304893.tif 000003
【図２】
2005304893.tif 000004
【図３】
2005304893.tif 000005
【図４】
2005304893.tif 000006
【図５】
2005304893.tif 000007
【図６】
2005304893.tif 000008
【図７】
2005304893.tif 000009
【図８】
2005304893.tif 000010
【手続補正書】
【提出日】平成16年5月19日(2004.5.19)
【手続補正１】
【補正対象書類名】明細書
【補正対象項目名】０００５
【補正方法】変更
【補正の内容】
【０００５】
しかも、車椅子に座らせてもモッコが尻に敷かれているため、モッコを取り外す作業も容易ではなかった。また、以上とは逆に、車椅子からベッドに移す際も同様で苦労が伴うことになるが、特に、車椅子ではひじ掛けが妨げになるばかりか身体不自由者を転がすことができないので、モッコを下に入れる装着状態をなす作業にさらに困難が伴うという問題があった。
【手続補正２】
【補正対象書類名】明細書
【補正対象項目名】００２４
【補正方法】変更
【補正の内容】
【００２４】
身体不自由者の吊りモッコＭの機械的な吊り移動については、ベッドから傍の車椅子というような間近の場合は、フック１７の揺動範囲で移動距離が取れることもあるので、建設作業において使用される単なるチェーンブロックやレバーホイスト、或いはレバーブロック、さらには電動モーター等を天井に吊るす等して設置して、簡便に使用することもできる。また、ベッドから浴室のように距離がある場合は、天井に沿ってレールを配設し、レールに走らせる装置にフック１７を吊り下げたものが考えられるというように様々となる。